(57)【要約】無線通信装置（１００）と、対応するインフラストラクチャ（１０２）と、方法とによって、関連付けられたグループのリスト（１０６、１１０）から、加盟の為に要求されたグループのリストを選択する。要求されたグループのリストはネットワークインフラストラクチャ（１０２）に送られ、一連のルールに従って処理される。加盟の為のグループの最終のリストが作られ、リストアップされているグループを支持するようネットワークインフラストラクチャが構成される。最終のリストは無線通信装置（１００）に送られることもある。
2006519523.tif 000002
【特許請求の範囲】
【請求項１】
グループ加盟を要求すべく設定され構築された無線通信装置であって、
制御装置に結合されてこれに応答し、要求された加盟グループのリストを、関連付けられたグループのリストから選択できるように動作するユーザインタフェイスと、
前記制御装置に結合されてこれに応答し、前記要求された加盟グループのリストをネットワーク制御装置に送る能力を持つ送信器と、を具備する無線通信装置。
【請求項２】
無線通信装置のグループ加盟を支援すべく設定され構築されたネットワーク制御装置であって、同ネットワーク制御装置が、
要求された加盟グループのリストを無線通信装置から受信すべく動作する受信器と、
加盟しているグループのリストを作成する為に、前記要求された加盟グループのリストを一連のルールに従って処理すべく操作し、更に、前記加盟しているグループのリストに従って、前記無線通信装置を前記グループのメンバーとして構成するよう操作するプロセッサと、を具備し、それによって、前記加盟しているグループのリストに従って前記無線通信装置がグループ通信に参加する機会を持つことが保証される、ネットワーク制御装置。
【請求項３】
請求項２に記載のネットワーク制御装置であって、
前記プロセッサに結合されてこれに応答する送信器を更に具備して、前記加盟しているグループのリストを前記無線通信装置に送る能力を持つ、ネットワーク制御装置。
【請求項４】
前記プロセッサに応答する前記送信器には、更に、前記無線通信装置に関連付けられたグループのリストを送る能力があり、前記関連付けられたグループのリストが、前記無線通信装置が加盟することを選べるグループのリストである請求項３に記載のネットワーク制御装置。
【請求項５】
前記加盟しているグループのリストに従って前記無線通信装置がグループのメンバーとして構成されるよう、前記プロセッサが要求された通りに加盟の追加及び解除を行う請求項２に記載のネットワーク制御装置。
【請求項６】
グループ加盟を要求する為の無線通信装置の方法であって、
要求された加盟グループのリストを作成する為に関連付けられたグループのリストから選択する工程と、
前記要求された加盟グループのリストをネットワークインフラストラクチャに送る工程と、を具備する方法。
【請求項７】
請求項６に記載の方法であって、
前記ネットワークインフラストラクチャから加盟しているグループのリストを受信する工程を更に含み、前記加盟しているグループのリストが前記要求された加盟グループのリストの一部を具備している、方法。
【請求項８】
請求項７に記載の方法であって、
前記加盟しているグループのリストを用いる操作用に前記無線通信装置を構成する工程を更に含む方法。
【請求項９】
請求項７に記載の方法であって、前記加盟しているグループのリストが更に、強制的に加盟しているグループ及び事前に設定された加盟しているグループのうち一方を具備し、強制的な加盟しているグループが、前記加盟しているグループのリストに入れられなくてはならないものであり、事前に設定された加盟しているグループが、明確には除外されていない場合は、前記要求された加盟グループのリストに入れられているものである、方法。
【請求項１０】
請求項６に記載の方法であって、前記選択する工程が更に、
前記要求された加盟グループのリストのグループの数に制限を設ける工程を含む方法。
【発明の詳細な説明】
【技術分野】
【０００１】
本発明は一般に、通信システムに関し、より具体的には、関連付けられたグループへの無線通信装置による加盟の為の方法及び装置に関する。
【背景技術】
【０００２】
現在市場には、他の無線通信装置の電話番号をダイヤルすることを必要とせずに、装置同士間で「即時通信（ｉｎｓｔａｎｔ  ｃｏｍｍｕｎｉｃａｔｉｏｎ）」できる無線通信装置が存在する。この例は、アメリカ合衆国のＮｅｘｔｅｌ（商標）システム及びＭｏｔｏｒｏｌａ（商標）のｉＤＥＮ（商標）無線通信装置である。このような装置では、即時通信機能を用いる操作を簡略化する為に、多数のユーザを一ユニット又は一グループにまとめることが可能である。無線通信装置が特別のグループのメンバーである場合には、無線通信装置がそのグループに「関連付けられている（ａｓｓｏｃｉａｔｅｄ）」と言われる。無線通信装置は１つ以上のグループに関連付けられていることがある。無線通信装置が、それに関連付けられたグループの１つの中で動作するようプログラムされている場合には、つまり、そのグループからユーザを選択し即時通信を開始することができるようプログラムされている場合には、無線通信装置はそのグループに「加盟している（ａｆｆｉｌｉａｔｅｄ）」と言われる。現在、下記の１つだけを例外として、無線通信装置は関連付けられている１つのグループに加盟しているのみであろう。加えて、Ｎｅｘｔｅｌシステムの例では、グループ通信能力のある無線通信装置のユーザには、無線通信装置がどのグループに属するのかを知るための正式方法がなく、口コミや他の非公式な手段しかない。先に触れた単一のグループ加盟の例外は、システムオペレータにより「スーパーグループ（ｓｕｐｅｒ  ｇｒｏｕｐ）」が構成される幾つかの実用に向けた応用例の場合であり、スーパーグループは１つ以上の既存のグループを結び付けたものである。しかし、前述の場合と同様に、無線通信装置は、一度に、かつ、以前にシステムオペレータにより構成されている場合に限り、これらのスーパーグループの１つに加盟しているのみであろう。
【発明の開示】
【発明が解決しようとする課題】
【０００３】
明らかに、関連付けられたグループへの改善された加盟の方法及び装置が必要である。
【課題を解決するための手段】
【０００４】
概要では、本開示は、グループ通信サービスを提供する、また特にこのようなサービスをそのユーザに提供する無線通信装置及びネットワーク制御装置と関係がある。また特に、グループの選択、及び選択に関連付けられているルールについての方法及び装置で具体化された種々の発明の概念及び原理が論じられている。特に興味深い無線通信装置及びネットワーク制御装置は、通常「即時通信」として知られ時に「ウォーキートーキーモード（ｗａｌｋｉｅ‐ｔａｌｋｉｅ  ｍｏｄｅ）」と呼ばれるモードでユーザが通信できるよう構築されたものである。使用可能な際には、無線通信装置は、別の特別の無線通信装置を、またそれによってそのユーザを選択するよう使用でき、「通話（ｔａｌｋ）」ボタンを押すことができる。そして、選択された特別の無線通信装置との通信が、電話番号をダイヤルする必要なく、むしろ単に、通話する為に通話ボタンを押し、聞く為にそれを放すことで開始する。無線通信装置のユーザが、多数のユーザを一グループとして同時に通信できる「グループ呼出」の概念も支持されていることがある。ユーザの無線通信装置は２つ以上のグループに属することがある。
【０００５】
即時通信機能に関連して用いられたグループの概念は、ユーザに利便性をもたらす一方で、グループ間を移らなくてはならない場合はその有用性が制限される。無線通信装置のユーザが別のグループのメンバーとの即時通信をする必要がある又はそれを望む状況がある。これは、職場で、１つのグループの同僚と連絡を取る必要が高いのだが、家族の状況により、無線通信装置が第２のグループに属する家族のメンバーとの通信が保たれることが求められる、という場合である。多数のグループと通信する別の目的は、仕事のグループをより小さくより効率的なユニットにしておけるようにすることであるが、大きいプロジェクト又は緊急事態のために必要な際には、仕事のグループは別の単一の仕事のグループ又は複数の仕事のグループとたやすく合体させて、より効率的な操作が可能になる。
【０００６】
更に以下に論じられるように、種々の発明の主要物及びその組み合わせは、利用可能なグループの発見においても、これらのグループからの選択においても、より大きな柔軟性を無線通信装置のユーザに与えるよう有利に用いられ、多数のグループ通信が可能になる。
【０００７】
当該の開示は、本発明に係る種々の実施形態を用いる最良の形態の可能なやり方を更に説明する為に提供されている。本開示は更に、いかようにも本発明を制限する為ではなく、本発明の原理及びその利点に対する理解及び評価を向上させる為にもたらされている。本発明は、本出願係属中になされるあらゆる補正と開示された請求項の全ての同等物とを含む添付の請求項により定義されている。
【０００８】
更に理解されるのは、関係のある用語、たとえあっても、第１及び第２、上面及び底面などであるが、このような言葉は、実体又は動きの一方をもう一方と区別するためになされており、このような実体同士間又は動き同士間の、関係又は順番を必ずしも示していない。
【０００９】
本発明の機能性の多く及び本発明の原理の多くは、ソフトウェアプログラム又はソフトウェア命令及び特定用途向けＩＣなどの集積回路（ＩＣ）により、最も良く実施される。例えば、使用可能時間と現在の技術および経済上の考慮により、重大な努力及び多くの設計上の選択がなされていても、当業者が、本願で開示された概念及び原理により導かれた際には、最小の実験で、このようなソフトウェア命令及びソフトウェアプログラムとＩＣとを生成することが容易にできるようになると予期される。従って、簡略化する為に、かつ、本発明による原理及び概念を分かりにくくする危険を最小にする為に、このようなソフトウェア及びＩＣの更なる議論は、たとえあっても、好適な実施形態の原理及び概念に対する要点に限定する。
【発明を実施するための最良の形態】
【００１０】
添付の図面では別個の図の全体に亘って、同じ参照番号は同一の要素又は機能的に同様な要素を示し、添付の図面は以下の詳細な記述と共に本明細書の一部に組み込まれ本明細書を形成するものであり、添付の図面は、種々の実施形態を更に図示する役割を果たし、かつ全ての本発明に係る種々の原理及び利点を説明する役割を果たす。
【００１１】
図１は、グループ通信を支持する通信のシステムの簡略化された代表的な形式のブロック図である。グループ通信を支援すべく無線通信装置１００が設計され構築されている。無線通信装置１００は、ある部分はネットワーク制御装置１０４により管理されているネットワークインフラストラクチャ１０２と無線で通信するよう操作可能である。無線通信装置１００は、この例では、複数のメンバーから成っている第１のグループＡ１０６のメンバーとして示されており、代表的な例では、例えば仕事仲間の人物のグループＡの会員１０８で示されている通りである。無線通信装置１００は、第２のグループのメンバーとしても示されており、グループＢ１１０が複数のメンバーから成っており、代表的な例では、例えば近親の人物のグループＢの会員１１２で示されている通りである。無線通信装置１００は２つのグループの共通のメンバーであるのみとして描写されているが、これは必要条件ではない。無線通信装置１００は、グループＡの会員１０８及びグループＢの会員１１２のラベル「オーナ」に対応している。
【００１２】
無線通信装置１００がメンバーである全てのグループが、無線通信装置の関連付けられたグループにより呼び出される。無線通信装置１００がどんなときでも即時通信に実際に使用可能なグループの一部が、無線通信装置の加盟しているグループにより呼び出される。ここで留意すべきは、用語「関連付けられたグループ」及び「加盟しているグループ」がしばしば以下の記述及び請求項で使用されるが、常に本文脈では先に定義された通りに使用されることである。
【００１３】
無線通信装置１００は、形式及び機能の点でＭｏｔｏｒｏｌａのモデルｉ９５などの多数の商用の装置のいずれかに似ているが、本発明により更に向上した装置である。ネットワークインフラストラクチャ１０２は、商業的に利用可能な無線通信ネットワークであり、Ｎｅｘｔｅｌ  Ｃｏｒｐｏｒａｔｉｏｎに売却されこれにより配備されたＭｏｔｏｒｏｌａのｉＤＥＮネットワークにより具現されているようなものでよいが、本発明により更に向上したネットワークである。ネットワークインフラストラクチャの構成部分であるネットワーク制御装置１０４は、多数の商業的に利用可能なサーバのいずれか、例えば、揮発性メモリ及び不揮発性メモリを具備するＳｏｌａｒｉｓオペレーティングシステムを走らせるＳｕｎ  Ｍｉｃｒｏｓｙｓｔｅｍｓ（商標）のサーバなどでよいが、本発明を組み込むように更にプログラムされたサーバである。
【００１４】
図２は、グループ加盟を要求する為に配列され構築された無線通信装置２００のブロック図を記載している。無線通信装置は制御装置２０２を備え、この制御装置２０２は、既知のものであり、Ｍｏｔｏｒｏｌａなどの種々の製造者から市販されている１つ以上のマイクロプロセッサ及びデジタル信号プロセッサから典型的に成り立っている。制御装置２０２は、受信器２０４及び送信器２０６の両方に結合されこれらを制御し、受信器２０４及び送信器２０６は、種々のメッセージを送受信するよう制御装置２０２に制御された通りに動作し、このメッセージには、チャネル割り当て及びグループ情報などの制御メッセージや、音声メッセージ又はテキストメッセージなどのトラフィックメッセージ等がある。
【００１５】
制御装置２０２は更に、メモリ２０８に結合されて示されている。該メモリは、プログラムメモリ２１０を、多くの場合に、無線通信装置並びにキーパッド及びディスプレイの操作に関するユーザインタフェイス機能の一般的な制御を行う為に制御装置により実行されるオブジェクトコードの形で含むことに加え、グループリスト２１２及び無線通信装置構成２１４の情報といった種々のデータベース及びリストを含む。
【００１６】
制御装置２０２は更に、キーパッド２１８とディスプレイ２２０と音声回路２２２とを備えているユーザインタフェイス２１６に結合されている。ユーザインタフェイス２１６の全ての要素は携帯電話の典型的なものであり通常入手可能である。
【００１７】
操作中、グループ加盟の変更を要求されたことがユーザにより示された際には、制御装置２０２が、グループリストメモリ２１２から、無線通信装置２００が関連付けられていると現在のところ分かっているグループのリストを検索する。関連付けられたグループのリストが表示され、無線通信装置のユーザは、該リストから、要求された加盟グループのリストを作成するよう選択することができる。実例のために使用されている代表的な例では、３つのカテゴリの関連付けられたグループ、即ち、義務的又は強制的なグループ、随意のグループ、自動的な又は事前に設定されたグループがある場合がある。義務的又は強制的なグループは、加盟に必要とされるグループである。これは、無線通信装置２００が実際には法人により所有されており、そのユーザが仕事に関連付けられた１つ以上のグループに常に加盟していることが予期される場合などである。随意のグループは、ユーザが加盟することを選ぶことができ、要求された場合を除き他の状態では入れられないグループである。自動的な又は事前に設定されたグループは、要求された加盟グループのリストが作成された時点で明確にユーザにより除外された場合を除き、入れられるグループである。これは、選択が自動的になされる又は事前に設定されるという持続的な原則により、ユーザが自宅又は家族のグループなどの任意のグループに加盟しそうな際の場合などである。
【００１８】
制御装置２０２は、ユーザが選び出す選択の数を、無線通信装置が加入しているサービスの程度や無線通信装置のモデルなどの基準に基づき、制限するよう作動することがあるが、基準はこれらに限定されてはいない。要求された加盟グループのリストを関連付けられたグループのリストから選択する為の模範的なプロセスは、図４の議論でより詳細に取り扱われている。
【００１９】
制御装置２０２は、送信器２０６に結合された状態であり、要求された加盟グループのリストをネットワーク制御装置１０４に送ることができる。要求された加盟グループのリストは、図３の議論で今まで以上に詳細に説明されるように、ネットワーク制御装置１０４で処理されて、結果、加盟しているグループのリストとなる。無線通信装置２００はネットワークインフラストラクチャ１０２でネットワーク制御装置１０４により構成され、加盟しているグループとの即時通信及びグループ通信を可能にする。ネットワーク制御装置１０４は、加盟しているグループのリストを無線通信装置２００へと受信器２０４を介して送ることがある。制御装置２０２はその後、加盟しているグループのリストを用いる操作用に無線通信装置を構成するべくリストを用いることがあり、この操作は、わけても、個人との即時通信及びグループ通信の選択がなされる際の加盟しているグループの新しい構成の表示であるが、これに限定されてはいない。加盟しているグループのリストは、前述したように、義務的又は強制的なグループと、随意のグループと、明確には除外されなかった自動的な又は事前に設定されたグループとを包含することがある。ネットワーク制御装置１０４は記述メッセージを介して加盟しているグループのリストに更なる情報を含むことがあり、この記述メッセージが、加盟しているグループのリストと要求された加盟グループのリストとの間の差異に関する情報を含む。該リスト同士間の差異は、義務的又は強制的なグループと、自動的な又は事前に設定されたグループと、ネットワーク制御装置により適用されることのある許容できる加盟グループの数におけるあらゆる更なる制限とに対しての、ネットワーク制御装置１０４でのルールの適用の結果の場合がある。制御装置２０２は、このような情報をメモリ２０８に格納することにより、ユーザインタフェイス２１６を併用して、前述したような関連付けられたグループのリストのみならず、ユーザにとって興味深いグループ加盟に関する情報も表示することができ、この情報には、要求された加盟グループのリスト、加盟しているグループのリスト、記述メッセージなどがあるが、これに限定されるものではない。
【００２０】
幾つかの模範的な実施形態では、制御装置２０２は、加盟しているグループの新しいリストを生み出す為のリストの表示を越えるものを構成するよう求められるであろう。この場合、加盟しているグループの新しいリストが受信された際に、新しいリストをインストールする前に単に全てのグループを脱退させるのではなく、現在の構成からの変更をチェックして該変更の実施のみを行うことが、制御装置２０２にとって有益なことがある。これにより、このような再構成に必要とされる時間が短縮されたり、無線通信装置がグループ呼出活動の発信及び着信に利用できない時間が短縮されたり省かれたりすることがある。
【００２１】
関連付けられたグループのリストに対して模範的な実施形態で想像されるのは、無線通信装置２００が関連付けられたグループのリストをネットワーク制御装置１０４又は認証されたソースから無線によって受信するよう操作可能になることである。関連付けられたグループのリストは、ユーザインタフェイス２１６を用いて制御装置２０２の指揮下で無線通信装置２００そのものにおいて作成されることもある。関連付けられたグループのリストを手作業か無線でインスタンス化するこのプロセスは、多くの場合にディスカバリ（ｄｉｓｃｏｖｅｒｙ）と呼ばれている。
【００２２】
図３を参照すると、本発明に係るネットワーク制御装置のブロック図が論じられ記載されている。ネットワーク制御装置３００が、無線通信装置のグループ加盟を支持する為に配列され構築されており、無線通信装置２００でのメッセージの送受信に適している受信器３０４及び送信器３０６の両方に結合されたプロセッサ３０２から成っている。送信器及び受信器は、大きいインフラストラクチャであるネットワークインフラストラクチャ１０２の一部である場合があり、更に、ネットワークインフラストラクチャ１０２の他の要素、例えば、スイッチ、ルータ、課金システムなどに結合されていることもある。プロセッサ３０２は更にメモリ３０８にも結合されている。メモリはグループリスト３１０を備え、このグループリスト３１０には、関連付けられた及び加盟しているグループのリスト、並びに、これらの関連付けられたグループの個人無線通信装置２００の会員についての会員情報が格納されている。メモリ３０８はプログラムメモリ３１２も備えており、このプログラムメモリ３１２には、ネットワーク制御装置を動作するオブジェクトコードが備わっている。プログラムメモリのオブジェクトコードが担当しているのは、中でも、加盟しているグループのリストの作成におけるルールの適用、及び、加盟しているグループのリストを作成後に収容できるようネットワークインフラストラクチャ１０２の再構成をどのように成し遂げるかについての命令である。メモリ３０８はルール３１４も備え、このルール３１４は、加盟のリストを作成する為に要求された加盟のリストの処理に適用される。ルール３１４は、義務的又は強制的なグループと、自動的な又は事前に設定されたグループと、可能なグループの数の制限とに対する適用に関する情報を含むことがある。メモリ３０８は、現在の加盟に対する無線通信装置の構成に関する情報を格納するメモリ３１６を含むことがある。このことは、関連付けられたグループの現在の構成についてどの変更が要求されているかを決定するにあたり役立つことがある。
【００２３】
無線通信装置２００からの要求された加盟グループのリストが受信される。プロセッサ３０２は、加盟しているグループのリストの最終の組み立てを決定する為にルール３１４を適用することがある。このようなルールの模範的な適用は図５の議論で詳細に取り扱われている。
【００２４】
プロセッサ３０２は更に、加盟しているグループのリストに従って無線通信装置２００をグループのメンバーとして構成するよう操作可能であり、それによって、加盟しているグループのリストに従って無線通信装置がグループ通信に参加する機会を持つことが保証され、例えば、加盟しているグループのリストのグループのいずれかのメンバーの無線通信装置と無線通信装置２００が即時通信を開始できるようネットワークインフラストラクチャ１０２が設定される。構成プロセスでは、プロセッサ３０２は、加盟しているグループのリストに従って無線通信装置をグループのメンバーとして構成するべく、要求された通りに加盟の追加及び解除を行う。構成プロセスは幾つかの様式のいずれかでなされることがあり、加盟グループの新たに作成されるリストへと構成する前に全ての現在の加盟を解除する様式、また、もはや入れられていないグループを脱退させて新たに加盟させられるグループを追加する場合に見られるように、加盟しているグループの更新されたリストが適用された前後に構成されるグループは不変のままで、影響を受けたグループのみを変更する様式、などがあるが、これに限定されない。
【００２５】
プロセッサ３０２は次に、送信器によって、加盟しているグループのリストを無線通信装置２００に送ることができ、以上に論じられたように無線通信装置２００は該情報を用いることがある。
【００２６】
プロセッサ３０２は、要求された加盟グループのリストから加盟しているグループのリストを創り出す為のルールの適用においては、リスト同士間のあらゆる差異に関する情報から成っている記述メッセージを作成することがある。このようなリストの模範的な描写が図６の議論で更に示され論じられている。記述リストが作成された場合、記述リストは、前述したような用途の為に送信器によって無線通信装置２００に供給されることや、加盟しているグループのリストの一部であったり別個のメッセージとして送られたりすることがある。
【００２７】
プロセッサ３０２の指揮下でのネットワーク制御装置３００の付加的な能力は、送信器３０６によって、無線通信装置２００がメンバーとして現在構成されているグループのリストを送ることである。このリストは、会員に該当するグループについて、わけても、前述したように、要求された加盟グループのリストを作成する為の選択プロセスに関するグループについて、無線通信装置のユーザに通知する為に、無線通信装置２００により用いられることがある。
【００２８】
図４を参照すると、本発明に係る無線通信装置でのグループ選択プロセス４００の描写が論じられ記載されている。無線通信装置２００は、ネットワーク制御装置３００から無線で、又は、ユーザが入力した際にユーザインタフェイス２１６によって、関連付けられたグループのリスト４０２を得る。示された例では、関連付けられたグループのリスト４０２には、無線通信装置２００がメンバーとして属する種々のグループを表している５つのエントリがある。ユーザインタフェイス２１６を相互に作用するように伴うことのある選択プロセスを通じて、要求された加盟グループのリスト４０４が作成される。示された模範的な場合では、ユーザは、位置１のグループ「Ｈｏｍｅ」と位置２の「Ｂｏｗｌｉｎｇ」とを選択している。ユーザは、本例では位置３の「Ｘ‐Ｃｕｓｔｏｍｅｒ」と指定されているグループ「Ｃｕｓｔｏｍｅｒｓ」を明確に除外している。位置４の断続線（‐‐‐‐‐‐‐‐）が、要求された加盟グループのリスト４０４へのグループの選択が３つに制限されていることを指し示す。
【００２９】
図５を参照すると、本発明に係る加盟している装置のリストの作成へのルールの適用の描写が論じられ記載されている。関連付けられたグループのリスト５００が無線通信装置２００に存在する。グループ選択プロセス５０２が要求された加盟グループのリスト５０４を作成する為に適用される。要求された加盟グループのリストがネットワーク制御装置３００に送られる５０６。この模範的で代表的な場合では以下のようなルールの適用により、加盟している装置のリスト５０８が作成される。義務的又は強制的なグループのリスト５１０が調べられ、加盟している装置のリスト５０８に入れられる５１２べき１つのグループ、Ｗｏｒｋを包含することが判明し、それによって、リストの項目１がＷｏｒｋであることが説明される。続いて次に、要求されたグループのリスト５０４が調べられ、グループＨｏｍｅが入れられ５１４、グループＢｏｗｌｉｎｇが入れられる５１６。自動的な又は事前に設定されたグループのリスト５１８が調べられ、グループＦｒｉｅｎｄｓが入れられる５２０。グループＣｕｓｔｏｍｅｒｓを追加しようとした５２２際に、要求された加盟のリスト５０４から気付くように、Ｃｕｓｔｏｍｅｒｓの特定の除外５２４により無効にされる。従ってＣｕｓｔｏｍｅｒｓは加盟しているグループのリスト５０８には含まれない。最後に、この例の場合では、許容できるグループの数のあらゆる制限のチェックがなされ、５つに設定されていることが判明し、位置６に断続線（‐‐‐‐‐‐‐）で示されている。制限はこの場合は超えられておらず、最終のリストの４つは、１．Ｗｏｒｋ、２．Ｈｏｍｅ、３．Ｂｏｗｌｉｎｇ、４．Ｆｒｉｅｎｄｓである。加盟しているグループのリストの作成におけるこの場合のルール適用は純粋に説明の目的の為である。ルールの他の順序及び特定の適用、並びに他のセットのルールそのものが、他の実施形態では適用可能となることが予期される。
【００３０】
図６を参照すると、加盟しているグループのリストに関する記述リストの簡略化された代表的な形式が論じられ記載されている。ルールの適用は、図５の記述で論じられたように、加盟しているグループのリスト５０８という結果になった。加盟しているグループのリスト５０８の作成に関する記述リスト６００が、その作成プロセスを併用して作成されることがある。この模範的な場合では、リストの各グループの包含の理由が与えられており、入れられていることを予期されうるグループの除外の理由が示されている。更にこの模範的な場合では、位置６の断続線により指定されたものとして５グループという制限が示されている。
【００３１】
図７を参照すると、本発明に係る無線通信装置のフローチャートの簡略化された代表的な形式が論じられ記載されている。無線通信装置２００は、電源を投入され、ネットワークインフラストラクチャ１０２により登録され、通常操作７００の状態にあり、また、加盟しているグループの現在のリストを支持するよう構成されることがある。グループのリストが受信され７０２、リストが加盟しているグループのリスト又は関連付けられたグループのリストかどうかを決定する為にリストがテストされる７０４。関連付けられたグループのリストの場合は、工程７０４に分岐「Ａｓｓｏｃｉａｔｅｄ」が続く。ユーザに都合のいいように、例えば、加盟しているグループの新しいセットが望まれる際には、関連付けられたグループのリストが表示され、要求された加盟グループのリストの選択がなされる７０６。選択可能なグループの数の制限を超えているか決定する為に７０８でリストがテストされる。このような制限を超えている場合は、ユーザは７０８からのＹｅｓ分岐に続いて工程７０６に戻される。制限を超えていない場合は、７０８からのＮｏ分岐が続き、要求された加盟グループのリストがネットワーク制御装置３００に送られる７１０。ネットワーク制御装置からの応答を待つ間は工程７００においては加盟しているグループの変更なく無線通信装置の操作が続く。
【００３２】
工程７０２でリストを受け取り次第、リストのタイプを決定する為にリストは再び７０４でテストされる。例示の目的で、リストは、前述したように要求された加盟グループのリストの一部である加盟しているグループのリストだと判明し、７０４からの分岐Ａｆｆｉｌｉａｔｅｄが続く。リストは内容を検査され、加盟しているグループのリストを用いる操作７１２の為に無線通信装置が構成される。無線通信装置は操作７００に戻され、よって、構成された状態である。工程７１２の後でいつでも、ユーザが加盟しているグループの現在のリストを表示できる７１４。加盟しているグループのリストへの随意の追加が記述メッセージである。記述メッセージが存在するかを決定する為にテストがなされる７１６。存在する場合は、７１６からのＹｅｓ分岐が続き、記述メッセージが工程７１８で表示される。工程７１８に続いて、表示が示されたままだったりデフォルト表示に戻されたりする７２０。工程７１６で記述メッセージが存在しないことが決定される場合は、７１６からのＮｏ分岐が続き、表示が示されたままだったりデフォルト表示に戻されたりする７２０。
【００３３】
以上に論じられた、プロセス、装置、方法、及びそれらの本発明の原理は、グループ加盟に関連している問題を軽減することを意図しておりまた軽減するであろう。グループのディスカバリと選択と加盟とについてのこれらの原理を用いることで、即時通信の有用性が、このような通信の能力を持つ無線通信装置において、単純になり、かつ広げられる。
【００３４】
無線通信装置のユーザはもはや、関連付けられたグループに参加する為の、関連付けられたグループの先験的知識を持つように求められない。更に、単一のグループ加盟又は単一の予め選択されたグループのセットの先行技術の制限はもはや、２つ以上のグループのメンバーと即時通信の機会を持つことを望むユーザにとって、障壁ではない。
【００３５】
即時通信を容易にして提供するような、関連付けられたグループの中での加盟を管理する為の方法とシステムと装置とについての種々の実施形態が、論じられ記載されてきた。本開示は、構成要素又はこのようなシステムを具備する設備に及び、とりわけ、このようなシステムによりかつそこで用いられる方法に及ぶ。本願で開示された本発明の原理及び概念を用いると、関連付けられたグループのリストからの１つ以上の加盟しているグループの選択における拡張された能力と、加盟しているグループのリストの作成に対するルールの使用と、ユーザにもシステムプロバイダにも同じように有益となる即時通信を支持する能力のある無線通信装置のユーザへの拡張されたメッセージとが、可能になったり提供されたりするので、有利である。
【００３６】
本開示は、本発明の真実の意図された公正な範囲と精神を制限するのではなく、本発明に従って種々の実施形態をどのように合わせて用いるかを説明することを意図している。先の記述は、網羅的であることや、本発明を開示された精密な形式に制限することは意図していない。前述の教示に照らして修正又は変形が可能である。実施形態（単数又は複数）は、本発明の原理の最良の実例及びその実際的な応用例を提供するよう、かつ、当業者が本発明を種々の実施形態で、企図された特別の用途に合わせられるように種々の修正を行って利用できるよう、選ばれ記載された。全てのこのような修正及び変形は、添付の請求項により決定されている本発明の範囲内にあり、本特許出願係属中に補正される場合があり、その全ての同等物も、公正かつ法的かつ公平に権利を与えられた広さに従って解釈した際には、本発明の範囲内にある。
【図面の簡単な説明】
【００３７】
【図１】グループ通信を支持する通信のシステムの簡略化された代表的な形式のブロック図。
【図２】本発明に係る無線通信装置の簡略化された代表的な形式のブロック図。
【図３】本発明に係るネットワーク制御装置の簡略化された代表的な形式のブロック図。
【図４】本発明に係る無線通信装置における簡略化された代表的な形式のグループ選択。
【図５】本発明に係る加盟している装置のリストの作成についての簡略化された代表的な形式のルールの適用。
【図６】加盟しているグループのリストに関する簡略化された代表的な形式の記述リスト。
【図７】本発明に係る無線通信装置についての簡略化された代表的な形式のフローチャート。
【図１】
2006519523.tif 000003
【図２】
2006519523.tif 000004
【図３】
2006519523.tif 000005
【図４】
2006519523.tif 000006
【図５】
2006519523.tif 000007
【図６】
2006519523.tif 000008
【図７】
2006519523.tif 000009
【図８】
2006519523.tif 000010
【図９】
2006519523.tif 000011
【図１０】
2006519523.tif 000012
【国際調査報告】
2006519523.tif 000013